(57)【特許請求の範囲】
【請求項１】
静止画に基づいて動画データを生成する画像処理装置であって、
前記動画データの表示サイズを検出する表示サイズ検出部と、
前記動画データの表示サイズに対応する表示条件を規定する動画テンプレートを格納したデータベースと、
ユーザによる入力操作に応じて前記データベースから選択された動画テンプレートの規定する表示条件のうち、前記表示サイズ検出部の検出した表示サイズに対応する表示条件と、前記静止画とに基づいて動画データを生成する動画データ生成部と、
を備え、
前記表示条件は、前記静止画の動き速度または最大輝度のうち少なくともいずれか１つを含む画像処理装置。
【請求項２】
静止画に基づいて動画データを生成する画像処理装置であって、
前記動画データの表示サイズを設定する表示サイズ設定部と、
前記動画データの表示サイズに対応する表示条件を含む動画テンプレートを格納したデータベースと、
ユーザによる入力操作に応じて前記データベースから選択された動画テンプレートの規定する表示条件のうち、前記表示サイズ設定部の設定した表示サイズに対応する表示条件と、
前記静止画とに基づいて動画データを生成する動画データ生成部と、
を備え、
前記表示条件は、前記静止画の動き速度または最大輝度のうち少なくともいずれか１つを含む画像処理装置。
【請求項３】
前記動画データ生成部の生成した動画データに従って動画を表示する表示部をさらに備える請求項１または２に記載の画像処理装置。
【請求項４】
静止画に基づいて動画データを生成する画像処理装置であって、
映像信号の出力先を検出する出力先検出部と、
前記映像信号の出力先に対応する表示条件を含む動画テンプレートを格納したデータベースと、
ユーザによる入力操作に応じて前記データベースから選択された動画テンプレートの規定する表示条件のうち、前記出力先検出部の検出した映像信号の出力先に対応する表示条件と、前記静止画とに基づいて動画データを生成する動画データ生成部と、
を備え、
前記表示条件は、前記静止画の動き速度または最大輝度のうち少なくともいずれか１つを含む画像処理装置。
【請求項５】
静止画に基づいて動画データを生成する画像処理装置であって、
映像信号の出力先および該映像信号の出力先の表示サイズを検出する出力先検出部と、
前記映像信号の出力先および該映像信号の出力先の表示サイズに対応する表示条件を含む動画テンプレートを格納したデータベースと、
ユーザによる入力操作に応じて前記データベースから選択された動画テンプレートの規定する表示条件のうち、前記出力先検出部の検出した映像信号の出力先および該映像信号の出力先の表示サイズに対応する表示条件と、前記静止画とに基づいて動画データを生成する動画データ生成部と、
を備え、
前記表示条件は、前記静止画の動き速度または最大輝度のうち少なくともいずれか１つを含む画像処理装置。
【請求項６】
前記出力先検出部の検出した映像信号の出力先に対し、前記動画データ生成部の生成した動画データに基づく映像信号を出力する映像出力部をさらに備える請求項４または５に記載の画像処理装置。
【請求項７】
静止画に基づいて動画データを生成する画像処理方法であって、
前記動画データの表示サイズを検出するステップと、
前記動画データの表示サイズに対応する表示条件を規定する動画テンプレートをデータベースに格納するステップと、
ユーザによる入力操作に応じて前記データベースから選択された動画テンプレートの規定する表示条件のうち、検出した表示サイズに対応する表示条件と、前記静止画とに基づいて動画データを生成するステップと、
を含み、
前記表示条件は、前記静止画の動き速度または最大輝度のうち少なくともいずれか１つを含む画像処理方法。
【請求項８】
静止画に基づいて動画データを生成する画像処理方法であって、
前記動画データの表示サイズを設定するステップと、
前記動画データの表示サイズに対応する表示条件を含む動画テンプレートをデータベースに格納するステップと、
ユーザによる入力操作に応じて前記データベースから選択された動画テンプレートの規定する表示条件のうち、設定した表示サイズに対応する表示条件と、前記静止画とに基づいて動画データを生成するステップと、
を含み、
前記表示条件は、前記静止画の動き速度または最大輝度のうち少なくともいずれか１つを含む画像処理方法。
【請求項９】
静止画に基づいて動画データを生成する画像処理方法であって、
映像信号の出力先を検出するステップと、
前記映像信号の出力先に対応する表示条件を含む動画テンプレートをデータベースに格納するステップと、
ユーザによる入力操作に応じて前記データベースから選択された動画テンプレートの規定する表示条件のうち、検出した映像信号の出力先に対応する表示条件と、前記静止画とに基づいて動画データを生成するステップと、
を含み、
前記表示条件は、前記静止画の動き速度または最大輝度のうち少なくともいずれか１つを含む画像処理方法。
【請求項１０】
静止画に基づいて動画データを生成する画像処理方法であって、
映像信号の出力先および該映像信号の出力先の表示サイズを検出するステップと、
前記映像信号の出力先および該映像信号の出力先の表示サイズに対応する表示条件を含む動画テンプレートをデータベースに格納するステップと、
ユーザによる入力操作に応じて前記データベースから選択された動画テンプレートの規定する表示条件のうち、検出した映像信号の出力先および該映像信号の出力先の表示サイズに対応する表示条件と、前記静止画とに基づいて動画データを生成するステップと、
を含み、
前記表示条件は、前記静止画の動き速度または最大輝度のうち少なくともいずれか１つを含む画像処理方法。
【請求項１１】
請求項７〜１０のいずれかに記載の画像処理方法をコンピュータに実行させるためのプログラム。
【発明の詳細な説明】
【技術分野】
【０００１】
本発明は静止画に基づいて生成される動画像を安全に表示する技術に関する。
【背景技術】
【０００２】
表示画面から激しく点滅する光の刺激を受けると、観者にけいれんなどの身体症状を引き起こす光感受性てんかん症状が知られている。また、表示画面上で画像を大きく移動させると、観者に乗り物酔いに似たような症状を引き起こすことが知られている。
【０００３】
このような問題に対処するため、特許文献１では、電子機器本体の移動に連動して表示される画像内容が変化するＨＡＢ（人間増補ブラウザ）が有効な場合、ユーザがデジタルカメラを移動させると、外部表示装置への画像出力を停止したり、画像情報を拡大或は縮小させる。非特許文献１では、早い周期で画面を点滅させるコンテンツを提供する場合には、そのページへのリンクの付近にわかりやすく示し、ユーザが回避できるようにする。
【０００４】
なお、本発明にかかわる先行技術としては、特許文献２、３等がある。特許文献２は、表示する画像の複雑度に応じて適切な表示時間を設定可能なスライドショーを開示する。特許文献３は、表示する画像のもつ状態に応じて表示時間を設定するスライドショーを開示する。
【特許文献１】特開２０００−２３２５６６号公報
【特許文献２】特開２００４−７８９２７号公報
【特許文献３】特開２００４−３２０３７９号公報
【非特許文献１】「三井住友銀行  映像等による情報提供のアクセシビリティ指針」、平成１８年２月２１日検索、インターネットＵＲＬ［http://www.smbc.co.jp/accessibility/guidelines/guideline_60.html］
【発明の開示】
【発明が解決しようとする課題】
【０００５】
スライドショーはかつてパソコン用のアプリケーション機能であったが、最近ではデジタルカメラやカメラ付き携帯電話にも搭載されている。また、シンプルな画像切り替え効果にとどまらず、フォトクリップのような激しい動きのスライドショーも登場しつつある。
【０００６】
一方、デジタルカメラや携帯電話において、映像の外部出力機能を搭載しているものが多いが、携帯電話等の表示画面の小さいものでは、速い動きが軽快であっても、テレビ等の大画面で見ると、速い動きによって乗り物酔い類似の症状を引き起こされることがある。
【０００７】
本発明はこのような問題点に鑑みてなされたもので、表示先の状況に合った安全な動画を作成することを目的とする。
【課題を解決するための手段】
【０００８】
本発明は、静止画に基づいて動画データを生成する画像処理装置であって、動画データの表示サイズを検出する表示サイズ検出部と、動画データの表示サイズに対応する表示条件を規定する動画テンプレートを格納したデータベースと、表示サイズ検出部の検出した表示サイズに対応する表示条件を規定する動画テンプレートをデータベースから読み出し、静止画と動画テンプレートに基づいて動画データを生成する動画データ生成部と、を備える。
【０００９】
この発明によると、検出された動画データの表示サイズに対応した表示条件に基づいて動画データを生成する。こうすることで、表示先の状況に合わせた安全な動画を作成することができる。
【００１０】
本発明は、静止画に基づいて動画データを生成する画像処理装置であって、動画データの表示サイズを設定する表示サイズ設定部と、動画データの表示サイズに対応する表示条件を含む動画テンプレートを格納したデータベースと、表示サイズ設定部の設定した表示サイズに対応する表示条件を規定する動画テンプレートをデータベースから読み出し、静止画と動画テンプレートに基づいて動画データを生成する動画データ生成部と、を備える。
【００１１】
この発明によると、設定された動画データの表示サイズに対応した表示条件に基づいて動画データを生成する。こうすることで、表示先の状況に合わせた安全な動画を作成することができる。
【００１２】
この画像処理装置は、動画データ生成部の生成した動画データに従って動画を表示する表示部をさらに備えてもよい。
【００１３】
本発明は、静止画に基づいて動画データを生成する画像処理装置であって、映像信号の出力先を検出する出力先検出部と、映像信号の出力先に対応する表示条件を含む動画テンプレートを格納したデータベースと、出力先検出部の検出した映像信号の出力先に対応する表示条件を規定する動画テンプレートをデータベースから読み出し、静止画と動画テンプレートに基づいて動画データを生成する動画データ生成部と、を備える。
【００１４】
この発明によると、検出された映像信号の出力先に対応した表示条件に基づいて動画データを生成する。こうすることで、映像信号の出力先の状況に合わせた安全な動画を作成することができる。
【００１５】
本発明は、静止画に基づいて動画データを生成する画像処理装置であって、映像信号の出力先および該映像信号の出力先の表示サイズを検出する出力先検出部と、映像信号の出力先および該映像信号の出力先の表示サイズに対応する表示条件を含む動画テンプレートを格納したデータベースと、出力先検出部の検出した映像信号の出力先および該映像信号の出力先の表示サイズに対応する表示条件を規定する動画テンプレートをデータベースから読み出し、静止画と動画テンプレートに基づいて動画データを生成する動画データ生成部と、を備える。
【００１６】
この発明によると、検出された映像信号の出力先およびその出力先の表示サイズに対応した表示条件に基づいて動画データを生成する。こうすることで、映像信号の出力先の状況に合わせた安全な動画を作成することができる。
【００１７】
出力先検出部の検出した映像信号の出力先に対し、動画データ生成部の生成した動画データに基づく映像信号を出力する映像出力部をさらに備えてもよい。
【００１８】
なお一例として、表示条件は、静止画の動き速度または最大輝度のうち少なくともいずれか１つを含む。
【００１９】
本発明は、静止画に基づいて動画データを生成する画像処理方法であって、動画データの表示サイズを検出するステップと、動画データの表示サイズに対応する表示条件を規定する動画テンプレートをデータベースに格納するステップと、検出した表示サイズに対応する表示条件を規定する動画テンプレートをデータベースから読み出し、静止画と動画テンプレートに基づいて動画データを生成するステップと、を含む。
【００２０】
本発明は、静止画に基づいて動画データを生成する画像処理方法であって、動画データの表示サイズを設定するステップと、動画データの表示サイズに対応する表示条件を含む動画テンプレートをデータベースに格納するステップと、設定した表示サイズに対応する表示条件を規定する動画テンプレートをデータベースから読み出し、静止画と動画テンプレートに基づいて動画データを生成するステップと、を含む。
【００２１】
本発明は、静止画に基づいて動画データを生成する画像処理方法であって、映像信号の出力先を検出するステップと、映像信号の出力先に対応する表示条件を含む動画テンプレートをデータベースに格納するステップと、検出した映像信号の出力先に対応する表示条件を規定する動画テンプレートをデータベースから読み出し、静止画と動画テンプレートに基づいて動画データを生成するステップと、を含む。
【００２２】
本発明は、静止画に基づいて動画データを生成する画像処理方法であって、映像信号の出力先および該映像信号の出力先の表示サイズを検出するステップと、映像信号の出力先および該映像信号の出力先の表示サイズに対応する表示条件を含む動画テンプレートをデータベースに格納するステップと、検出した映像信号の出力先および該映像信号の出力先の表示サイズに対応する表示条件を規定する動画テンプレートをデータベースから読み出し、静止画と動画テンプレートに基づいて動画データを生成するステップと、を含む。
【００２３】
上記の画像処理方法をコンピュータに実行させるためのプログラムも本発明に含まれる。
【発明の効果】
【００２４】
本発明によると、検出もしくは設定された動画データの表示サイズ、検出された映像信号の出力先もしくは出力先の表示サイズに対応した表示条件に基づいて動画データを生成する。こうすることで、動画の表示先の状況に合わせた安全な動画を作成することができる。
【発明を実施するための最良の形態】
【００２５】
＜第１実施形態＞
図１は本発明の好ましい実施形態に係るスライドショー作成装置のブロック構成図である。スライドショー作成装置は、制御部８、スライドショー生成部１、表示領域検知部２、画像処理部３、画像管理部４、テンプレート管理部５、表示部６および画像入出力部７を備える。
【００２６】
表示領域検知部２は、液晶モニタなどで構成された表示部６の有効表示領域のサイズを検知する。
【００２７】
画像管理部４は、デジタルスチルカメラなどと接続された画像入出力部７から入力された静止画像を蓄積するＨＤＤなどの記憶媒体である。
【００２８】
スライドショー生成部１は、画像管理部４に蓄積された画像のうちユーザの選択した所望の１または複数の静止画像（例えばＪＰＥＧ形式のファイル。以下、元画像と呼ぶ）とテンプレート管理部５に記憶されたテンプレートの中から選択された所望のテンプレートの規定する表示条件に基づき、携帯電話やデジタルカメラなどで再生可能な形式の動画データあるいは音声も含んだ動画データ（スライドショー）を生成する。
【００２９】
具体的な表示条件の一例を挙げると、複数の静止画をランダムに切り替えて表示させたり、あるいは１または複数の静止画を所定の速度に従って画面上を移動するよう表示させたり、複数の静止画をスライドショーのように切り替えたりするようにして静止画像の動きを作る「エフェクト」、動画と合成される花や窓枠などの静止画像あるいは動画像である「合成枠」がある。動画データの再生に同期して再生される「バックグラウンドミュージック（ＢＧＭ）」の再生条件をテンプレートに含めてもよい。
【００３０】
生成された後の動画データは、ＭＰ３ファイルのようにテンプレートとは独立した形式でもよいし、アニメーションＧＩＦのように静止画とテンプレートの両方が揃って動画が再生される形式であってもよい。
【００３１】
詳細は省略するが、テンプレートは、元画像の再生に付随する文書、キャラクタ、アイコンなどの各種オブジェクトの配置座標、サイズ、色などの表示状態も規定することができる。
【００３２】
テンプレート管理部５は、テンプレートおよびテンプレート管理情報を蓄積したデータベースである。
【００３３】
図２はテンプレート管理部５に記憶されるテンプレート管理情報の一例を示す。図２に示すように、テンプレート管理情報は、各テンプレートの識別情報（ＩＤ）に対応して、元画像の一枚一枚の表示サイズに応じた再生速度を規定した情報である。
【００３４】
スライドショー生成部１は、選択された所望のテンプレートの規定した表示条件だけでなく、さらに、該選択されたテンプレートのＩＤに対応する再生速度に従って動画データを生成する。
【００３５】
画像処理部３は、スライドショー生成部１の生成した動画データに従い、表示部６の表示規格に適合した映像信号（例えばＮＴＳＣ信号）を生成し、表示部６に出力する。
【００３６】
なお、スライドショー作成装置は、携帯電話やデジタルカメラなどで構成してもよいが、この場合、表示領域検知部２が携帯電話等に内蔵の表示部６の表示領域のサイズを検出できれば足りる。
【００３７】
以下、図３に従い、本装置の処理の流れを説明する。
【００３８】
Ｓ１では、ユーザによる入力操作に応じて、スライドショーで使用する元画像を画像管理部４から選択する。元画像を１枚１枚指定するのが面倒であれば、画像を格納したフォルダを選択させ、そのフォルダ内のすべての画像を元画像とすればよい。
【００３９】
Ｓ２では、ユーザによる入力操作に応じて、スライドショーの表示条件を規定するテンプレートをテンプレート管理部５から選択する。
【００４０】
Ｓ３では、選択した表示条件を規定するテンプレートのＩＤを特定する。
【００４１】
Ｓ４では、表示領域検知部２は、表示部６の有効表示領域のサイズを検知する。スライドショー生成部１は、表示領域検知部２の検知した表示領域のサイズを動画の表示サイズと認識する。
【００４２】
Ｓ５では、スライドショー生成部１は、テンプレート管理部５のテンプレート管理情報を参照し、Ｓ３で特定したテンプレートのＩＤおよびＳ４で認識した動画の表示サイズに対応する元画像の移動速度を決定する。例えば、テンプレートＩＤが「Ｔｅｍｐ００１」であり、表示サイズが「６４０×４８０未満」であれば、移動速度は所定のデフォルト値（例えば毎秒２ピクセル）となる。あるいは、テンプレートＩＤが「Ｔｅｍｐ００１」であり、表示サイズが「６４０×４８０超」であれば、移動速度は（デフォルト値）／２（例えば毎秒１ピクセル）となる。これは、動画の表示サイズが大きくなればなるほど、観者に身体症状を引き起こすような影響が強くなるから、動画の表示サイズに応じて画像の移動速度を抑えるためである。
【００４３】
Ｓ６では、スライドショー生成部１は、Ｓ５で決定した移動速度およびＳ３で選択したテンプレートが規定する表示条件で各元画像が移動表示されるような動画データを作成する。
【００４４】
Ｓ７では、画像処理部３は、生成された動画データに基づいて表示部６で表示される動画の映像信号を生成し、表示部６に出力する。表示部６は映像信号を入力すると、決定された移動速度で動画を表示する。
【００４５】
このように、スライドショー生成部１は、表示部６の有効表示領域の表示サイズに応じて元画像の移動速度が変化するよう動画データを作成する。表示部６の表示サイズに応じた速度で元画像が移動表示されるから、光源の移動による過度な刺激を観者に与えて各種の身体症状を引き起こす可能性が減る。
【００４６】
なお、表示領域検知部２が表示部６の表示サイズを自動的に検知する必然性はなく、ユーザが動画の表示サイズを任意に指定した場合は、指定された表示サイズに応じた動画を作成するようにしてもよい。
【００４７】
この場合、装置の処理の流れは図４のようになる。
【００４８】
Ｓ１１は、ユーザによる入力操作に応じて、スライドショーで使用する画像を画像管理部４から選択する。
【００４９】
Ｓ１２では、ユーザによる入力操作に応じて、所望の表示条件を規定するテンプレートをテンプレート管理部５から選択する。
【００５０】
Ｓ１３では、選択したテンプレートに付与されたＩＤを特定する。
【００５１】
Ｓ１４では、ユーザによる入力操作に応じて、動画の表示サイズを選択する。例えば図５に示すように、表示サイズの一覧から、ユーザの所望する動画の表示サイズを入力操作によって選択すればよい。なお、この図のように、画像とテンプレートも同じ画面の一覧から選択させてもよい。
【００５２】
Ｓ１５では、選択された表示サイズを表示部６における動画の表示サイズと認識する。
【００５３】
Ｓ１６では、スライドショー生成部１は、テンプレート管理情報を参照し、Ｓ１３で特定したテンプレートＩＤおよびＳ１５で認識した表示サイズに対応する元画像の移動速度を決定する。
【００５４】
Ｓ１７では、スライドショー生成部１は、Ｓ１２で選択したテンプレートの表示条件およびＳ１６で決定した移動速度で各元画像が移動表示されるような動画データを作成する。
【００５５】
Ｓ１８では、画像処理部３は、生成された動画データに基づいて、選択された表示サイズによって動画を表示する映像信号を生成し、表示部６に出力する。表示部６は動画を選択された表示サイズで、また決定された移動速度で表示する。
【００５６】
このように、ユーザが任意に動画の表示サイズを選択したときも、これに合わせて安全なスライドショーを生成できる。
【００５７】
＜第２実施形態＞
光の点滅・点灯による過度の刺激を抑えるには、画面の表示サイズに応じて輝度を変化させることが有効である。
【００５８】
図６は第２実施形態に係るテンプレート管理部５に記憶されるテンプレート管理情報の一例を示す。図６に示すように、本実施形態のテンプレート管理情報は、テンプレートＩＤと元画像の一枚一枚の表示領域のサイズに応じた輝度とを対応づける。
【００５９】
以下、図７に従い、本装置の処理の流れを説明する。
【００６０】
Ｓ２１では、ユーザによる入力操作に応じて、スライドショーで使用する画像を画像管理部４から選択する。
【００６１】
Ｓ２２では、ユーザによる入力操作に応じて、所望の表示条件を規定するテンプレートをテンプレート管理部５から選択する。
【００６２】
Ｓ２３では、選択したテンプレートのＩＤを特定する。
【００６３】
Ｓ２４では、表示領域検知部２は、表示部６の有効表示領域のサイズを検知する。スライドショー生成部１は、表示領域検知部２の検知した表示サイズを動画の表示サイズと認識する。
【００６４】
Ｓ２５では、スライドショー生成部１は、テンプレート管理情報を参照し、特定したテンプレートＩＤおよび認識した動画の表示サイズに対応するスライドショーの最大輝度を決定する。例えば、テンプレートＩＤが「Ｔｅｍｐ００１」であり、表示サイズが「６４０×４８０未満」であれば、最大輝度は０〜２５６の間の所定のデフォルト値（例えば２５０）となる。あるいは、テンプレートＩＤが「Ｔｅｍｐ００１」であり、表示サイズが「６４０×４８０超」であれば、移動速度は（デフォルト値）／２（例えば２００）となる。これは、表示サイズが大きくなればなるほど、観者に身体症状を引き起こすような影響が強くなるから、これに応じて画面の表示輝度を抑えるためである。
【００６５】
Ｓ２６では、スライドショー生成部１は、選択されたテンプレートの規定する表示条件および決定した最大輝度の範囲内で各元画像が移動表示されるような動画データを作成する。
【００６６】
Ｓ２７では、画像処理部３は、生成された動画データに基づいて映像信号を生成し、表示部６に出力する。表示部６は動画を決定された輝度の範囲内で表示する。
【００６７】
このように、スライドショー生成部１は、表示部６の表示サイズに応じた輝度の範囲内で表示される動画データを作成する。表示部６の表示サイズに応じた輝度で動画が表示されるから、高輝度の光源の移動による過度な刺激を観者に与えて各種の身体症状を引き起こす可能性が減る。
【００６８】
なお、表示領域検知部２が動画の表示サイズを自動的に検知する必然性はなく、ユーザが任意に指定するようにしてもよい。
【００６９】
図８は、この場合における装置の処理の流れを示す。
【００７０】
Ｓ３１は、ユーザによる入力操作に応じて、スライドショーで使用する画像を画像管理部４から選択する。
【００７１】
Ｓ３２では、ユーザによる入力操作に応じて、スライドショーを規定するテンプレートをテンプレート管理部５から選択する。
【００７２】
Ｓ３３では、選択したテンプレートのＩＤを特定する。
【００７３】
Ｓ３４では、ユーザによる入力操作に応じて、動画の表示サイズを選択する。
【００７４】
Ｓ３５では、選択された表示サイズを動画の表示サイズと認識する。
【００７５】
Ｓ３６では、スライドショー生成部１は、テンプレート管理情報を参照し、特定したテンプレートＩＤおよび認識した動画の表示サイズに対応する最大輝度を決定する。
【００７６】
Ｓ３７では、スライドショー生成部１は、選択されたテンプレートの表示条件および決定した最大輝度の範囲内で各元画像が移動表示されるような動画データを作成する。
【００７７】
Ｓ３８では、画像処理部３は、生成された動画データに基づいて映像信号を生成し、表示部６に出力する。表示部６は動画を最大輝度の範囲内で移動表示する。
【００７８】
＜第３実施形態＞
図９は、本発明の好ましい第３の実施形態に係る画像記録装置の機能ブロック図である。画像記録装置は、撮像レンズ１１１、ＣＣＤなどの固体撮像素子１１２、ドライバ１２２が固体撮像素子１１２から読み取ったアナログ画像をデジタル信号に処理するためのアナログフロントエンド回路１１３、アナログフロントエンド回路１１３からのデジタル画像信号を処理するＤＳＰ（Digital Signal Processor）等の信号処理回路１１４、中央演算処理装置（ＣＰＵ）１１０、表示部１１７の表示制御を行う表示コントローラ１６などを備えている。画像記録装置の各回路への電源供給は画像記録装置の筐体内部に装着される電池からなる主要電源１６４から供給される。ＲＴＣ（Real Time Clock）１１５は計時専用のチップであり、画像記録装置の主要電源１６４がオフされていても別個の電池から電源供給を受けて動作する。
【００７９】
また、画像記録装置は、メモリカード１４からのデータ読み取りやメモリカード１４へのデータ記録を行うカードコネクタ８０、記録内容の書き換えが可能な内蔵型のフラッシュメモリ１１９、各種データやプログラムを記憶するＲＯＭ２０、ＣＰＵ１１０の処理に必要な各種データを記憶するＲＡＭ２１を備えている。上記の各部はバス（ＢＵＳ）を介して接続されている。
【００８０】
撮像レンズ１１１には、例えば光学２倍ズームレンズが用いられ、操作部１０２から入力される倍率変更操作に応じてモータドライバ１４０が撮像レンズ１１１を望遠（テレ）側又は広角（ワイド）側に進退駆動することで光学ズーム倍率が変更される。撮像レンズ１１１の倍率は上記に限定されない。撮像レンズ１１１には絞り１１６が設けられており、モータドライバ１４０を介して絞り１１６を制御して適正な露光量を得る。
【００８１】
操作部１０２によって撮影モードが設定されると、ＣＰＵ１１０は、動画（スルー画）を表示部１１７に表示させ、撮影画角を確認可能にする。即ち、固体撮像素子１１２は、撮像レンズ１１１の受光面に結像された被写体光をその光量に応じた量の信号電荷に変換する。このようにして蓄積された各画素の信号電荷は、ＣＰＵ１１０の指令に従いタイミングジェネレータ１２１から与えられる駆動パルスに基づき、信号電荷に応じた電圧信号（画像信号）としてドライバ１２２によって順次個別に読み出され、アナログフロントエンド回路１１３でデジタル信号に変換されてそれぞれ信号処理回路１１４に加えられる。
【００８２】
信号処理回路１１４は、ゲイン調整回路及びＡ／Ｄ変換器を含み、輝度・色差信号生成回路、ガンマ補正回路、シャープネス補正回路、コントラスト補正回路、ホワイトバランス補正回路、撮影画像に対する輪郭補正を含む画像処理を行う輪郭処理部、画像のノイズ低減処理を行うノイズ低減処理部等を含む画像処理手段であり、ＣＰＵ１１０からのコマンドに従って画像信号を処理する。
【００８３】
信号処理回路１１４に入力された画像データは、輝度信号（Ｙ信号）及び色差信号（Ｃｒ、Ｃｌ信号）に変換されるとともに、ガンマ補正等の所定の処理が施された後、ＶＲＡＭ１３２に格納される。
【００８４】
撮影画像を表示部１１７にモニタ出力する場合、ＶＲＡＭ１３２からＹＣ信号が読み出され、表示コントローラ１６に送られる。表示コントローラ１６は、入力されたＹＣ信号を表示用の所定方式の信号（例えば、ＮＴＳＣ方式のカラー複合映像信号）に変換して表示部１１７に出力する。
【００８５】
ＶＲＡＭ１３２の画像データは、必要に応じて信号処理回路１１４から電子ズーム回路６２に加えられる。電子ズーム回路６２は、画像の拡大／縮小処理を行う。すなわち、画像データの一部を切り出し、その切り出し範囲を拡大／縮小することにより、画像の拡大／縮小処理を行なう。そして、その拡大／縮小後の画像データをＶＲＡＭ１３２に出力する。切り出し範囲は十字ボタンなどの操作部１０２の操作で画像上の任意の位置に移動させることができ、これにより画像データの所望の範囲を拡大／縮小できる。
【００８６】
所定のフレームレートで処理された各フレームのＹＣ信号は、ＶＲＡＭ１３２のＡ領域とＢ領域とに交互に書き込まれ、ＶＲＡＭ１３２のＡ領域及びＢ領域のうち、ＹＣ信号が書き込まれている方の領域以外の領域から、書き込まれているＹＣ信号が読み出される。このようにしてＶＲＡＭ１３２内のＹＣ信号が定期的に書き換えられ、そのＹＣ信号から生成される映像信号が表示部１１７に供給されることにより、撮像中の映像がリアルタイムに表示部１１７に表示される。ユーザは、表示部１１７に表示される映像（スルー）によって撮影画角を確認できる。
【００８７】
ここで、操作部１０２に設けられた撮影キーが押下されると、記録用の撮影動作がスタートする。撮影キーの押下に応動して取得された画像データは信号処理回路１１４において輝度／色差信号（Ｙ／Ｃ信号）に変換され、ガンマ補正等の所定の処理が施された後、ＲＡＭ２１に格納される。
【００８８】
ＲＡＭ２１に格納されたＹ／Ｃ信号は、圧縮伸長処理回路１４４によって所定のフォーマットに従って圧縮された後、カードコネクタ８０を介してメモリカード１４にExifファイルなどの所定フォーマットの画像ファイルとして記録される。
【００８９】
操作部１０２によって動画撮影モードが設定されたときには、撮影キーの押下操作に連動して動画記録動作がスタートし、もう一度撮影キーを押下すると動画記録動作が停止する。撮影キーを押下継続している期間、録画動作を行い、押下解除によって録画を停止するようにしてもよい。動画データは、例えばモーションＪＰＥＧ（ＭＰＥＧ）形式によって、本発明に係る第１の記憶部の一態様であるメモリカード１４に記録される。
【００９０】
操作部１０２によって再生モードが設定されると、メモリカード１４に記録されている最終の画像ファイル（最後に記録されたファイル）の圧縮データが読み出される。最後の記録に係るファイルが静止画ファイルの場合、この読み出された画像圧縮データは、圧縮伸長処理回路１４４を介して非圧縮のＹＣ信号に伸長され、ＶＲＡＭ１３２に保存される。ＶＲＡＭ１３２に保存されたＹＣ信号は、表示コントローラ１６に加えられる。表示コントローラ１６は、入力するＹＣ信号からＮＴＳＣ方式のＲＧＢカラー複合映像信号を作成し、これを表示部１１７に出力する。これにより、表示部１１７にはメモリカード１４に記録されている最終コマのコマ画像が表示される。
【００９１】
その後、操作部１０２に設けられた十字キーの右キーが押されると、順方向にコマ送りされ、十字キーの左キーが押されると、逆方向にコマ送りされる。そして、コマ送りされたコマ位置の画像ファイルがメモリカード１４から読み出され、上記と同様にしてコマ画像が表示部１１７に再生される。尚、最終コマのコマ画像が表示されている状態で順方向にコマ送りされると、メモリカード１４に記録されている１コマ目の画像ファイルが読み出され、１コマ目のコマ画像が表示部１１７に再生される。
【００９２】
画像ファイルなどの各種ファイルは、フラッシュメモリ１１９に記憶することもできる。フラッシュメモリ１１９に画像ファイルを記憶させる場合、記憶させる画像の画素サイズ及び枚数を考慮した容量を備えさせることが好ましい。フラッシュメモリ１１９の用途はファイル記憶に限る必然性はなく、主要電源１６４の異常発生などの緊急時にＶＲＡＭ１３２の記憶データ等を退避させるのに用いてもよい。
【００９３】
記憶させる画像ファイルの画素数は、例えば、2832×2128（６Ｍ）、2048×1536（３Ｍ）、1280× 960（１Ｍ）、640 × 480（ＶＧＡ）の何れかであり、記録画質と記録画素数との組合せによって撮影画像のデータ量（ファイルサイズ）が変化する。
【００９４】
画像記録装置は、外部モニタあるいは一般のテレビなどで構成された外部表示装置３２に接続して画像信号を出力するための外部インターフェース３１と、外部表示装置３２の有効表示領域のサイズを検知する外部出力検知部３３を備える。外部出力検知部３３は、第１実施形態の表示領域検知部２と同様の機能である。
【００９５】
図１０に例示するように、フラッシュメモリ１１９は、テンプレート管理部５と同内容のテンプレート管理情報を蓄積する。ただし、このテンプレート管理情報は、テンプレートＩＤおよび動画の映像信号の出力先（すなわち内蔵の表示部１１７もしくは外部出力先である外部表示装置３２）に対応した、画像の再生速度および最大輝度を規定する。また、メモリカード１４は、画像管理部４と同内容の情報を蓄積する。
【００９６】
以下、図１１に従い、本装置の処理の流れを説明する。
【００９７】
Ｓ４１では、ユーザによる入力操作に応じて、スライドショーで使用する画像を画像管理部４から選択する。
【００９８】
Ｓ４２では、ユーザによる入力操作に応じて、所望の表示条件を規定するテンプレートをテンプレート管理部５から選択する。
【００９９】
Ｓ４３では、選択したテンプレートのＩＤを特定する。
【０１００】
Ｓ４４では、外部出力検知部３３は、ユーザ操作により、映像信号の出力先として表示部１１７または外部表示装置３２のいずれが選択されているかを検知する。なお第１実施形態と同様、外部出力検知部３３は、検知した出力先の有効表示領域のサイズを検知してもよい。ＣＰＵ１１０は、表示領域検知部２の検知した出力先を認識する。なお外部出力検知部３３が検知した出力先の有効表示領域のサイズも検知している場合、ＣＰＵ１１０は、そのサイズを動画の表示サイズと認識する。
【０１０１】
Ｓ４５では、ＣＰＵ１１０は、テンプレート管理情報を参照し、特定したテンプレートＩＤおよび認識した出力先に対応する元画像の移動速度および最大輝度を決定する。例えば、テンプレートＩＤが「Ｔｅｍｐ００１」であり、認識した出力先が表示部１１７（その有効表示領域のサイズは例えば「６４０×４８０未満」）であれば、移動速度は所定のデフォルト値（例えば毎秒２ピクセル）でありかつ最大輝度は０〜２５６の間の所定のデフォルト値（例えば２５０）となる。あるいは、テンプレートＩＤが「Ｔｅｍｐ００１」であり、認識した出力先が外部表示装置３２（その有効表示領域のサイズは例えば「６４０×４８０超」）であれば、移動速度は（デフォルト値）／２（例えば毎秒１ピクセル）でありかつ最大輝度は２００となる。
【０１０２】
Ｓ４６では、ＣＰＵ１１０は、選択されたテンプレートの規定する表示条件、決定した移動速度および最大輝度の範囲内で各元画像が移動表示されるような動画データを作成する。
【０１０３】
Ｓ４７では、表示コントローラ１６は、生成された動画データに基づき、表示部１１７または外部表示装置３２のうち選択された出力先で表示可能な映像信号を生成し、表示部１１７または外部表示装置３２のうち選択された方に出力する。表示部１１７または外部表示装置３２は動画を決定された移動速度かつ最高輝度の範囲内で移動表示する。
【０１０４】
このように、２つの表示手段である表示部１１７または外部表示装置３２のうち選択された方の表示サイズに応じて決定された速度と最大輝度で元画像が移動表示されるから、光源の点滅・点灯・移動による過度な刺激を観者に与えて各種の身体症状を引き起こす可能性が減る。
【０１０５】
また、外部表示装置３２は観者の都合に応じて様々に変わることもあるが、その場合でもそれぞれの外部表示装置３２に応じて適切な速度と輝度で動画（スライドショー）が生成され、様々に変化しうる外部表示装置３２のいずれにおいても安全に動画を表示できる。
【図面の簡単な説明】
【０１０６】
【図１】第１実施形態に係るスライドショー作成装置の概略構成図
【図２】第１実施形態に係るテンプレート管理部の蓄積する情報を概念的に示す図
【図３】第１実施形態に係るスライドショー作成装置の実行する処理の流れの一例を示すフローチャート
【図４】第１実施形態に係るスライドショー作成装置の実行する処理の流れの他の一例を示すフローチャート
【図５】ユーザに動画の表示サイズ等を選択させる画面の一例を示す図
【図６】第２実施形態に係るテンプレート管理部の蓄積する情報を概念的に示す図
【図７】第２実施形態に係るスライドショー作成装置の実行する処理の流れの一例を示すフローチャート
【図８】第２実施形態に係るスライドショー作成装置の実行する処理の流れの他の一例を示すフローチャート
【図９】第３実施形態に係る画像記録装置の概略構成図
【図１０】第３実施形態に係るテンプレート管理部の蓄積する情報を概念的に示す図
【図１１】第３実施形態に係る画像記録装置の実行する処理の流れを示すフローチャート
【符号の説明】
【０１０７】
１：スライドショー生成部、２：表示領域検知部、４：画像管理部、５：テンプレート管理部
【図１】
0004734679.tif 000002
【図２】
0004734679.tif 000003
【図３】
0004734679.tif 000004
【図４】
0004734679.tif 000005
【図５】
0004734679.tif 000006
【図６】
0004734679.tif 000007
【図７】
0004734679.tif 000008
【図８】
0004734679.tif 000009
【図９】
0004734679.tif 000010
【図１０】
0004734679.tif 000011
【図１１】
0004734679.tif 000012